(57)【要約】      （修正有）【課題】より大きな衝撃力に耐えることができ、さらに、耐用年数が長く、施工及びメンテナンスが容易な雪崩・落石防護柵を提供することを目的とする。【解決手段】所定の間隔で複数の支柱2を設け、前記支柱2間を網体4で遮蔽した雪崩・落石防護柵において、前記網体4が複数のロープの交差部を相互にねじって六角形に形成され、前記交差部に余長部が設けられ、前記交差部が水平になるように網体4を設置している。これにより大きな衝撃力に耐えることができ、さらに、耐用年数が長く、施工及びメンテナンスが容易な雪崩・落石防護柵を提供できる。【選択図】図１
2005213747.tif 000002
【特許請求の範囲】
【請求項１】
所定の間隔で複数の支柱を設け、前記支柱間を網体で遮蔽した雪崩・落石防護柵において、前記網体が六角形に編成されていることを特徴とする雪崩・落石防護柵。
【請求項２】
前記網体が複数のロープの交差部を相互にねじって六角形に編成されていることを特徴とする請求項１記載の雪崩・落石防護柵。
【請求項３】
前記交差部に余長部を設けたことを特徴とする請求項２記載の雪崩・落石防護柵
【請求項４】
前記交差部が水平になるように網体を設置したことを特徴とする請求項２又は３記載の雪崩・落石防護柵。
【発明の詳細な説明】
【技術分野】
【０００１】
本発明は、雪崩や落石による衝撃力を網体によって分散吸収する雪崩・落石防護柵に関するものである。
【背景技術】
【０００２】
従来、この種の雪崩・落石防護柵では、所定の間隔で支柱を設け、各支柱の間に水平ロープ材を水平方向のスライドを許容した状態で係留し、水平ロープ材の両端は固定し、各支柱間を水平ロープ材に掛止させたワイヤ製のネットで遮蔽し、前記水平ロープ材の途上にロープ材を重合させて形成した余長部と、余長部を一定の力で挟持する挟持具とにより、水平ロープ材に設定張力以上の張力が作用したとき、水平ロープ材が一定の摩擦力を保持したまま余長部が伸長して張力を吸収する緩衝部を形成したものが開示されている（例えば特許文献１）。これにより、衝撃を支柱に伝える前に水平ロープ材の一部に形成した緩衝部の摺動により衝撃を吸収することができるため、従来と比較して支柱の荷重負担を著しく軽減できるだけでなく、ワイヤネットとの共働により、従来と比較して効果的に衝撃を吸収することができる。
【０００３】
また、上記文献には図５に示すように、菱形金網状に編成されたワイヤネット20が開示されている。
【特許文献１】特公平７−０１８１３４
【発明の開示】
【発明が解決しようとする課題】
【０００４】
しかしながら、上記文献においても、ワイヤネット20は公知のワイヤ21を菱形網状に編成したものであって、これでは大きな衝撃力に耐えることができないという懸念があった。また、ワイヤネットの１箇所が破断するとその破れが全体に拡がってしまい、メンテナンス費用が高くなるという問題があった。したがって、このワイヤネットの強度を向上できれば、より大きな衝撃力にも耐えることができるだけでなく、防護柵自体の寿命を長くすることができ、さらにメンテナンス費用を低減できる。一方、単に強度だけを確保するのであれば、鋼棒等を溶接して形成した網体を使用することが考えられるが、この網体の採用に際しては、足場の悪い傾斜地における施工性及び施工コスト、或いは保守管理等を考慮すると、実用性に乏しい。
【０００５】
そこで、本発明は上述した問題点に鑑み、より大きな衝撃力に耐えることができ、さらに、耐用年数が長く、施工及びメンテナンスが容易な雪崩・落石防護柵を提供することを目的とする。
【課題を解決するための手段】
【０００６】
上記目的を達成するために、本発明に係る雪崩・落石防護柵は、所定の間隔で複数の支柱を設け、前記支柱間を網体で遮蔽した雪崩・落石防護柵において、前記網体が六角形に編成されていることを特徴とする。
【０００７】
また、前記網体が複数のロープの交差部を相互にねじって六角形に編成されてもよい。
【０００８】
ここで、前記交差部に余長部を設けてもよい。
【０００９】
また、前記交差部が水平になるように網体を設置してもよい。
【発明の効果】
【００１０】
本発明の請求項１記載の雪崩・落石防護柵によれば、六角形に形成された網体を備えているので、網体によって効率よく衝撃力を分散し吸収することができる。
【００１１】
また、請求項２に記載の雪崩・落石防護柵によれば、ロープの交差部をよじって六角形に形成しているので、型崩れしにくく、また、網目の１つ１つが独立した強度を持っているので、一部が破断しても破れが他に拡がらないため、耐久性を向上できる。
【００１２】
また、請求項３に記載の雪崩・落石防護柵によれば、交差部に余長部を設けたので、より効果的に衝撃力を分散し吸収できるので、より大きな衝撃力にも耐えることができる。
【００１３】
また、請求項４に記載の雪崩・落石防護柵によれば、交差部が水平になるように網体を設置するので、網体に衝撃力が加わった場合に、支柱間方向に網体が伸張して衝撃力を効果的に吸収することができる。
【発明を実施するための最良の形態】
【００１４】
以下図面を参照して、本発明の好適な実施形態について説明する。
【実施例１】
【００１５】
以下図面を参照して、本発明の好適な実施形態について説明する。図１は、本実施例に係る雪崩・落石防護柵を模式的に示す正面図である。図２は、本実施例に係る雪崩・落石防護柵を模式的に示す断面図である。図３は、本実施例に係るワイヤネットを模式的に示す部分拡大図である。
【００１６】
雪崩・落石防護柵は、斜面あるいは斜面に並んでコンクリート基礎１を設け、このコンクリート基礎１に所定の間隔で複数の支柱２を立設し、前記支柱間に水平主線材である水平ロープ材３と、前記支柱２間を前記水平ロープ材３に掛止した網体であるワイヤネット４で構成されている。
【００１７】
前記支柱２は、Ｈ型鋼，コンクリート柱，鋼管あるいはコンクリート充填鋼管などからなり、この例ではＨ型鋼を用い、その下端を前記コンクリート基礎１に固着している。前記支柱２間には水平ロープ材３が複数段に設けられ、この水平ロープ材３を係止する係止部８が前記支柱２に設けられ、この係止部８は、孔や切欠きあるいは支柱２の側面に水平ロープ材３を係止する係止用フックなどでもよい。また、前記水平ロープ材３の両端は、それぞれ前記支柱２や他の部材に固定されている。
【００１８】
前記ワイヤネット４は、ロープである公知のワイヤ５，５Ａ、例えば、アルミニウムめっき、あるいは亜鉛−アルミ合金めっきを施した鉄線を、一定の角度ａで交差させ交差部６で複数回、例えば３回ねじって連結する。この角度ａは正六角形の場合１２０°であるが、六角形の形状に応じて適宜選択可能であることはいうまでもない。前記交差部６で連結されたワイヤ５，５Ａの先端は一定の角度ａで分岐され、他のワイヤ10，11と同じく一定の角度ａで交差させ、上記と同回数ねじって連結される。このような連結動作を繰り返すことによって、ワイヤが六角形状に編成され、ワイヤネット４全体に六角の網が形成される。このワイヤネット４は事前に工場等で製作したものを現場に運搬して取り付けたり、或いは現場で水平ロープ材２に係留させて製作しても良い。前記ワイヤネット４は、前記交差部６が水平になるように配して水平ロープ材３に掛止され、前記支柱２間を遮蔽する。
【００１９】
このワイヤネット４に落石・雪崩による衝撃力が加わると、ワイヤネット４に対して支柱２間方向に力が働く。この衝撃力はワイヤネット４及び水平ロープ材３を構成する各ワイヤの共働による通常の弾性変形により吸収される。このとき、前記交差部６が水平方向、すなわち支柱２間方向に向いているので、菱形に比較して大きな衝撃力に耐えることができる。さらに、単位長さあたりにおける引張り方向のワイヤ本数が多いので、より大きな衝撃力にも耐えることができる。
【００２０】
このような構成によって、本実施例では請求項１に対応して、所定の間隔で複数の支柱２を設け、前記支柱２間をワイヤネット４で遮蔽した雪崩・落石防護柵において、前記ワイヤネット４が六角形に編成されているから、ワイヤネット４によって効率よく衝撃力を分散し吸収することができる。
【００２１】
また、本実施例では請求項２に対応して、前記ワイヤネット４が複数のワイヤ５の交差部６を相互にねじって六角形に編成されているから、型崩れしにくく、また、網目の１つ１つが独立した強度を持っているので、一部が破断しても破れが他に拡がらないため、耐久性を向上できる。
【００２２】
また、本実施例では請求項３に対応して、前記交差部６が水平になるようにワイヤネット４を設置したから、ワイヤネット４に衝撃力が加わった場合に、支柱２間方向にワイヤネット４が伸張して衝撃力を効果的に吸収することができる。
【実施例２】
【００２３】
次に、本発明の別の実施形態について図４を参照して説明する。図４は、本実施例に係るワイヤネットを模式的に示す部分拡大図である。
【００２４】
ワイヤネット４は一定の角度ａで交差させ交差部６Ａで複数回、例えば２回ねじって連結する。この連結されたワイヤ５，５Ａをたわませて余長部７を形成し、さらに２回ねじって交差部６Ｂを形成する。尚、隣合う交差部６Ａ，６Ｂはねじり方向が逆である。交差部６Ｂで連結されたワイヤ５，５Ａの先端は一定の角度ａで分岐され、他のワイヤ10，11と同じく一定の角度ａで交差させ、上記と同回数ねじって交差部６Ａで連結し、余長部７を形成して、さらに、同回数ねじって交差部６Ｂで連結される。このような連結動作を繰り返すことによって、ワイヤが六角形状に編成され、ワイヤネット４全体に六角の網が形成される。前記余長部７は省スペースや引っ掛かり防止のためワイヤネット４と同一平面上に形成されるのが好ましい。
【００２５】
このような構成によって、前記ワイヤネット４に衝撃力が加わると、その衝撃力に応じて余長部７が伸張し、平面的だったワイヤネット４が変形する。すなわち、局所的に衝撃力が加わった場合、それに応じて余長部７が伸張することによってワイヤネット４の局所的な変形を許容し、効果的に衝撃力を分散して吸収するので、ワイヤネット４の破断を防止でき、さらに支柱２へ伝達される瞬間的な衝撃力を軽減できる。
【００２６】
このように、本実施例では請求項３に対応して、交差部６に余長部７を設けたからより効果的に衝撃力を分散し吸収できるので、より大きな衝撃力にも耐えることができる。
【００２７】
本発明は、本実施形態に限定されるものではなく、本発明の要旨の範囲内で種々の変形実施が可能である。例えば、交差部におけるワイヤのねじり回数はワイヤネットを構成する六角形の大きさに応じて適宜変更してもよい。
【図面の簡単な説明】
【００２８】
【図１】本発明の第１実施例に係る雪崩・落石防護柵を模式的に示す正面図である。
【図２】同上、断面図である。
【図３】同上、ワイヤネットを模式的に示す部分拡大図である。
【図４】本発明の第２実施例に係るワイヤネットを模式的に示す部分拡大図である。
【図５】従来例にかかるワイヤネットを模式的に示す部分拡大図である。
【符号の説明】
【００２９】
２    支柱
４    ワイヤネット（網体）
５，５Ａ    ワイヤ（ロープ）
６，６Ａ，６Ｂ    交差部
７    余長部
【図１】
2005213747.tif 000003
【図２】
2005213747.tif 000004
【図３】
2005213747.tif 000005
【図４】
2005213747.tif 000006
【図５】
2005213747.tif 000007